(57)【特許請求の範囲】
【請求項１】
カメラの正面から見て、撮影レンズの左側に配置された第１のレリーズボタンと、該撮影レンズの右側に配置された第２のレリーズボタンと、
前記カメラの有する通常撮影モードとセルフポートレートモードの、二つの撮影モードから、いずれかの撮影モードを設定するモード切替スイッチと、該モード切替スイッチと前記第１、第２のレリーズボタンが接続された制御回路と、を有し、
前記制御回路は、前記モード切替スイッチにより、前記通常撮影モードが設定されているときは、前記第１、第２のレリーズボタンのうち、一方のみのレリーズ操作を認識し、前記モード切替スイッチにより、前記セルフポートレートモードが設定されているときは、前記第１、第２のレリーズボタンのいずれのレリーズ操作をも認識するよう構成したことを特徴とするカメラ。
【発明の詳細な説明】
【０００１】
【発明の属する技術分野】
本発明は、カメラに関し、特にカメラを把持した撮影者自身を被写体とできるカメラ、又はカメラの操作部材を少なくしたカメラに関する。
【０００２】
【従来の技術】
カメラを用いた通常の撮影においては、撮影者がカメラのファインダを覗いて所望の被写体を選択し、最適なシャッタチャンスでシャッタレリーズを行うようになっている。従って、カメラはこのような撮影に適した構成となっており、より具体的には、カメラを構えた撮影者の目で覗けるような位置にファインダが設けられ、カメラを把持した右手の人差し指が丁度のるような位置にレリーズボタンが設けられている。従って、カメラは、本来的に撮影者自身を撮影するように構成されてはいないと言える。
【０００３】
これに対し、撮影者は自らが被写体となることを欲する場合がある。かかる場合、撮影者はカメラを三脚にセットし、セルフタイマ機構もしくは遠隔操作式のレリーズ機構を用いて撮影を行うか、撮影者以外の者に依頼して撮影を行うか、状況に応じていずれかの態様を適宜選択していた。
【０００４】
【発明が解決しようとする課題】
しかしながら、三脚は重量がありかつ嵩張るものであるため、撮影者が常時携帯するには不便であり、撮影者が自身の撮影を欲するとき、常に三脚を使えるとは限らない。また、セルフタイマ機構を用いた撮影では、最適なシャッタチャンスをとらえて撮影を行うことが困難であるという問題がある。更に、撮影を欲する場所において撮影者のみしか存在しない場合もあり、かかる場合には、撮影者以外の者に撮影を依頼することは不可能である。
【０００５】
一方、従来技術のカメラを左手のみで把持しつつ撮影者自身に相対させ、その状態で腕をいっぱいに伸ばすことにより、撮影者自らを撮影することは可能である。ところが、このような撮影では、撮影者の意図とは無関係に、その左手が画面に写り込んでしまい、写真として好ましくない場合がある。又、このような撮影では、撮影者はファインダを覗いていないため、カメラの中央が背景に向いていることに気づかず、カメラの測距装置がそのまま背景を測距してしまう恐れがある。かかる測距に基づき合焦がなされると、撮影者自身の画像がピンぼけとなってしまう可能性が高い。更に、カメラは、左手のみで把持するように構成されてはいないため、かかる撮影時に誤ってカメラを落とす恐れもある。また、腕をいっぱいに伸ばすと、カメラの支持がしにくくなり、それにより手振れが生じる恐れもある。
【０００６】
加えて、従来技術のカメラにおいては、以下のような問題点がある。カメラの中には、たとえば、自動的に絞りを開放してスローシャッタにするような夜景モードとか、被写体である人物等の赤目現象を防止するため、ストロボを複数回閃光させる赤目軽減モード等、複数の撮影モードを選択可能となっているものがある。
【０００７】
ところが、カメラ自体は持ち運びに便利なようにコンパクト化が要求されているため、複数モードの選択を可能にするモード選択部材は、その設置場所を制限され、レリーズボタンから遠い位置に設定されることが多い。従って、既にカメラを構え被写体をねらっているときでも、撮影モードの切り替えを欲する場合には、撮影者は一旦構えを解き、モード選択部材により選択されたモードを確認しつつ、その切り替えを行わなくてはならなかった。
【０００８】
又、従来技術のモード設定部材には、指でボタン押圧することにより順次モードを切り替えるタイプのものがあるが、その設置場所が制限されているため、切り替えボタンが小さくて、撮影者が押しづらいという問題があった。このように、従来技術のモード設定部材には、カメラのコンパクト化を優先したため操作性が悪くなってしまったものがあり、その操作に手間取ることにより、撮影者がスムーズな撮影を行う際の障害となり、また最適なシャッタチャンスを逃す場合も生じていた。
【０００９】
一方、操作性を向上させるため、レリーズボタンの近傍にモード設定部材を備えることも考えられる。しかしながら、撮影時において撮影者は、ファインダを覗きながら手探りの状態でレリーズボタンを押しているので、撮影者がレリーズボタン近傍のモード設定部材に不用意に触れてしまう恐れがあり、それにより撮影モードが切り替わって、撮影者の意図しない撮影が行われてしまう場合がある。加えて、従来技術のズームレンズを備えたカメラの場合には、レリーズボタンとズームボタンとが設けられており、これらの操作が煩わしいという問題もある。
【００１０】
本発明は、かかる従来技術の問題点に鑑み、撮影者の意図に忠実に撮影が行える、操作性に優れたカメラを提供することを目的とする。
【００１１】
【課題を解決するための手段】
上述の目的を達成すべく、本発明のカメラは、カメラの正面から見て、撮影レンズの左側に配置された第１のレリーズボタンと、該撮影レンズの右側に配置された第２のレリーズボタンと、前記カメラの有する通常撮影モードとセルフポートレートモードの、二つの撮影モードから、いずれかの撮影モードを設定するモード切替スイッチと、該モード切替スイッチと前記第１、第２のレリーズボタンが接続された制御回路と、を有し、前記制御回路は、前記モード切替スイッチにより、前記通常撮影モードが設定されているときは、前記第１、第２のレリーズボタンのうち、一方のみのレリーズ操作を認識し、前記モード切替スイッチにより、前記セルフポートレートモードが設定されているときは、前記第１、第２のレリーズボタンのいずれのレリーズ操作をも認識するよう構成したことを特徴とする。
【００１５】
【作用】
請求項１に記載のカメラによれば、モード切替スイッチにより、通常撮影モードが設定されているときは、第１、第２のレリーズボタンのうち、一方のみのレリーズ操作を認識し、セルフポートレートモードが設定されているときは、第１、第２のレリーズボタンのいずれのレリーズ操作をも認識するようになっているので、三脚や遠隔操作式のレリーズ機構等を用いることなく撮影者自身を簡便に撮影することができ、更に、通常撮影モードでは誤レリーズ動作によるカメラの誤動作を防止でき、セルフポートレートモードではカメラをしっかり保持しつつ、いずれかの手でも確実にレリーズ操作を行うことができ、それによりカメラの操作性を向上させることができる。
【００１９】
【発明の実施の形態】
以下、本発明による実施の形態を、図面を参照して説明する。
図１は、第１の実施の形態にかかるカメラの斜視図である。図１において、カメラはボックス状の本体１と、その左方に位置する略円柱状のグリップ部２とからなる。本体１において、その正面中央には撮影レンズ１ａが配置され、撮影レンズ１ａの上方にはファインダ１ｂが配置され、ファインダ１ｂの右方にはストロボ１ｃが配置されている。グリップ部２は、その上面にシャッタレリーズボタン２ａを配置しており、本体１に対して近接した近接位置（図１に示す位置）と、本体１から離隔した離隔位置との間で変位自在となっている。
【００２０】
図２は、カメラの上面図であり、図２（ａ）は、グリップ部２が本体１に対して近接した近接位置（第１位置）にある状態を示し、図２（ｂ）は、グリップ部２が本体１に対して離隔した離隔位置（第２位置）にある状態を示している。図３は、離隔位置にあるグリップ部２を、撮影者の左手Ｈにより把持した状態で示すカメラの斜視図である。グリップ部２は、その底面に固定された板状の連結部材３により、本体１に連結されている。
【００２１】
連結部材３は、本体１の底部において長手方向に延在する案内路（不図示）に対して摺動自在となっており、連結部材３を案内路に押し込むことにより、グリップ部２は近接位置に変位し、一方連結部材３を案内路から引き出すことにより、グリップ部２は離隔位置に変位するようになっている。なお、グリップ部２が、近接位置と離隔位置のいずれかにあるときには、不図示のクリックが係合することにより、連結部材３と案内路との不用意な相対移動を防止するようになっている。図３に示すように、撮影者はグリップ部２を左手で把持することによりカメラを保持することができ、自分（セルフポートレート）を撮影することができる。かかる場合、グリップ部２が離隔位置にあれば、これを把持する撮影者自身の腕が写り込むことを極力防止することができる。
【００２２】
次に、グリップ部２が、離隔位置にあるときでもシャッタレリーズを可能とする構成について説明する。図４は、本体１とグリップ部２との間に配置された、電気接点を、制御回路のブロック図と共に示す上面図である。図５は、図４の構成をＶ−Ｖ線で切断して矢印方向に見た図である。図４において、本体１側の案内路１ｄ（図５）内には、固定された導電体であるパターン基板４ａ、４ｂ、４ｃ、４ｄ、４ｅが配置されている。パターン基板４ａ乃至４ｃは同一矩形形状であるが、パターン基板４ｄは短く、パターン基板４ｅはクランク形状となっている。
【００２３】
パターン基板４ａ、４ｂ、４ｃ、４ｄ、４ｅは、それぞれ制御回路６に接続されている。尚、制御回路６（制御手段）は、撮影レンズ１ａ（図１）を光軸方向に移動させるレンズ駆動装置８と、絞り（不図示）を開閉する絞り機構（露出制御手段）９と、ストロボ１ｃを発光させるストロボ装置１０と、測光を行う測光装置１１と、被写体までの距離を測定する測距装置１２と、フィルムを給送するフィルム給送装置１３と、シャッタ１４とに連結され、これらを制御するようになっている。
【００２４】
一方、連結部材３（図５）上には、導電体である接片５ａ、５ｂ、５ｃが配置されている。接片５ａ、５ｂは、シャッタレリーズボタン２ａ（図１乃至３）の押圧によって閉成するレリーズスイッチ７に接続されており、またそれぞれパターン基板４ａ、４ｂに当接している。接片５ｃは、Ｕ字形状をなしており、図４、図５に示す状態では、その両端をパターン基板４ｃ及び４ｅに当接させている。尚、接片５ａ、５ｂ、５ｃは、連結部材３の移動と共に、パターン基板４ａ、４ｂ、４ｃ、４ｄ、４ｅ上を摺動するようになっている。
【００２５】
制御回路６は、図４、図５に示す状態においては、パターン基板４ｃ、４ｅが導通していることから、グリップ部２（図１乃至３）は離隔位置にあるものと判断する。また、かかる位置で、シャッタレリーズボタン２ａを押圧すると、レリーズスイッチ７が閉成状態となり、それにより制御回路６は、導通したパターン基板４ａ、４ｂを介して、シャッタレリーズが行われたと判断することができる。
【００２６】
一方、グリップ部２を近接位置に変位させると、図５の点線で示す位置に連結部材３が摺動し、かかる状態では、接片５ｃの一端はパターン基板４ｃに当接したままであるが、その他端はパターン基板４ｅから係脱しかつ基板４ｄに係合するので、パターン基板４ｃ、４ｅが非導通となるとともに、パターン基板４ｃ、４ｄが導通するようになる。それにより、制御回路６は、グリップ部２（図１乃至３）は近接位置に変位したものと判断する。また、かかる位置においても、レリーズスイッチ７の閉成により、パターン基板４ａ、４ｂは導通するので、制御回路６はシャッタレリーズが行われたと判断することができる。
【００２７】
次に、本実施の形態にかかるカメラの動作について説明する。図６は、かかるカメラの制御を示すフローチャートである。まず、ステップＳ１０１において、制御回路６は、撮影者が自身を撮影するセルフポートレートモードが設定されているか否か判断する。セルフポートレートモードの設定は、モード設定部材を別途設けて行うことも可能であるが、本実施の形態においては、グリップ部２の位置によりモード設定を行うようになっている。
【００２８】
より具体的には、撮影者がセルフポートレートを撮影する意志がない場合には、カメラが図１に示すような状態（グリップ部２が近接位置に位置する状態）にあるのが通常であるので、制御回路６は、パターン基板４ｄ、４ｅに導通が生ずれば、セルフポートレートモードが非設定であるとして、続くステップＳ１０２において、ＳＰＭ＝０とするのである。
【００２９】
一方、撮影者がセルフポートレートを撮影する意志がある場合には、カメラが図３に示すような状態（グリップ部２が離隔位置に位置する状態）にあるのが通常であるので、制御回路６は、パターン基板４ｃ、４ｅに導通が生ずれば、セルフポートレートモードが設定されているとして、続くステップＳ１０３において、ＳＰＭ＝１とするのである。
【００３０】
ステップＳ１０４においては、レリーズ待ちの状態となり、シャッタレリーズボタン２ａ（図１）が押されることにより、制御回路６は、測光装置１１に測光を行わせ、測距装置１２に測距を行わせ（ステップＳ１０５）、更に測距結果に基づき、レンズ駆動装置８を介して合焦位置に撮影レンズ１ａを駆動する（ステップＳ１０６）。
【００３１】
ステップＳ１０７において、制御回路６は、フラグＳＰＭが０か１かに基づき判断した結果、セルフポートレートモードが非設定であれば（ＳＰＭ＝０）、続くステップＳ１０８でシャッタ１４を、測光結果に基づく時間だけ開くよう制御する。又、制御回路６は、測光結果に基づき必要と判断した時には、ストロボ装置１０を用いて、ストロボ発光を行い（ステップＳ１０９）、その後シャッタ１４を閉じるよう制御する（ステップＳ１１０）。
【００３２】
一方、セルフポートレートモードが設定されていれば（ＳＰＭ＝１）、制御回路６は、続くステップＳ１１２で、絞り装置９により小絞りにした状態で、シャッタ１４を開くよう制御する。かかる場合、スローシャッタにすると、手振れが生じる恐れが高くなるため、制御回路６は、ステップＳ１１３で強制的にストロボを発光させ、その後シャッタ１４を閉じるよう制御する（ステップＳ１１４）。尚、被写界が明るいため、スローシャッタにならない場合には、ステップＳ１１３を省略することもできる。以上の撮影が終了した後に、制御回路６は、フィルム給送装置１３により、フィルムを１駒分だけ給送させ（ステップＳ１１１）、フローを戻して次の撮影を待つ。
【００３３】
このように、本実施の形態によれば、セルフポートレートモードの設定は、グリップ部２（図１）を引き出すことのみで行うことができ、それにより操作性が向上する。又、セルフポートレートモードが設定されたとき、絞り径を小さくすることにより被写界深度を増大し、撮影者がピンぼけとなることを極力防止すると共に、距離の異なる撮影者以外の被写体にもピントが合うようにすることができる。尚、グリップ部２を引き出した状態でもシャッタレリーズを可能とするために、レリーズスイッチと制御回路とを、フレキシブルプリント基板やリード線を介して連結することも考えられる。ただし、かかる場合には、グリップ部２がいずれの位置にあるかを検出する位置検出スイッチを設ける必要がある。
【００３４】
この他にも、ピンぼけを防止するには、所定撮影距離にピントを設定する（たとえば撮影距離を６０ｃｍとするとかパンフォーカス化すること等）が考えられる。カメラに測距装置が設けられている場合、かかる測距装置が撮影者でなく背景を測距してしまうと、背景に対して撮影距離が設定されてしまうため、ピンぼけが生じやすくなる。一方、カメラを把持した撮影者が腕を伸ばして自身を撮影すると仮定すると、撮影距離はほぼ腕の長さに対応すると考えられる。そこで、撮影距離を強制的に４０ｃｍ（子供の場合）乃至８０ｃｍ（体格の良い成人の場合）と設定すれば、かかる撮影者にピントを合わせることができるのである。ただし、一般的な撮影者の場合には、腕の長さは６０ｃｍ程度考えられるので、撮影距離を固定する場合には６０ｃｍとするのが好ましい。一方、ズームレンズ付きカメラの場合、所定絞り、所定ガイドナンバー、所定焦点距離（広角側）で撮影する等の仕方が考えられる。
【００３５】
更に、セルフポートレートの撮影時に、測距装置の測距精度を向上させるためには、以下の態様も考えられる。図２９は、かかる態様に基づくカメラの正面図である。カメラの本体８０１において、中央に設けられた撮影レンズ８０１ａの右下には、凸面鏡８１０が正面を向いて配置されている。一方、カメラの本体８０１において、上方に設けられたファインダ８０１ｃの両側には、一対の測距部８０１ｄが設けられている。測距部８０１ｄは、たとえばファインダから覗いたときに中央に存在する被写体までの距離を測定するようになっている。
【００３６】
ここで、カメラを把持した撮影者が、自身を撮影すべくカメラを自分に向けたときに、撮影者が測距位置におらず測距部８０１ｄが撮影者を測距できなければ、不適切な測距結果に基づき撮影距離が設定されてしまうため、ピンぼけが生じる恐れがある。これに対し、かかるカメラによれば、カメラの正面に設けた凸面鏡８１０に、自分（撮影者Ｐ）が写っていることを撮影者が視認できるときは、撮影者の位置が測距部８０１ｄの測距位置となる（すなわち測距部の検出有効範囲内にある）ようにしているので、撮影者は凸面鏡８１０に自分が写るようカメラの姿勢を調整するだけで、自分にピントを合わせることができることとなり、それによりセルフポートレート撮影時のピンぼけを極力防止することができる。尚、凸面鏡８１０は、図２９に示すように被写体側から常時見えるようにしても良いが、凸面鏡８１０を遮蔽するカバーを設け、セルフポートレートモード設定時に、かかるカバーを待避させて凸面鏡８１０を露出するようにしても良い。
【００３７】
図３０は、同様の不具合を解消する別な態様に基づくカメラを示す図であり、図３０（ａ）は、かかるカメラの正面図であり、図３０（ｂ）は、図３０（ａ）のカメラをＢ−Ｂ線で切断して矢印方向に見た図である。図３０（ａ）に示すカメラの本体９０１において、中央に設けられた撮影レンズ９０１ａの右下には、四角錐状の凹部９０１ｂが形成されている。一方、カメラの本体９０１において、上方に設けられたファインダ９０１ｃの両側には、一対の測距部９０１ｄが設けられている。測距部９０１ｄも同様に、たとえばファインダから覗いたときに中央に存在する被写体までの距離を測定するようになっている。
【００３８】
図３０（ｂ）において、凹部９０１ｂの底部には、発光部であるＬＥＤ９１０が配置されている。ＬＥＤ９１０は、不図示の制御回路に接続されており、セルフポートレートモード設定時に点灯するようになっている。
【００３９】
セルフポートレートモードが設定された場合、カメラを把持した撮影者が、自身を撮影すべくカメラを自分に向けたときに、撮影者が凹部９０１ｂ内のＬＥＤ９１０を視認できるときは、撮影者の位置が測距部９０１ｄの測距位置となる（すなわち測距部の検出有効範囲内にある）ようにしている。従って、撮影者はＬＥＤ９１０を視認できるようカメラの姿勢を調整するだけで、自分にピントを合わせることができ、それによりセルフポートレート撮影時のピンぼけを極力防止することができる。
【００４０】
図７乃至１０は、本発明による第２の実施の形態にかかるカメラを示す図であるが、図７はその斜視図であり、図８はその底面図であり、図９は、シャッタレリーズを可能とする構成を示す図であり、図１０は、図９の構成をＸ−Ｘ線で切断して矢印方向に見た図である。尚、第２の実施の形態については、第１の実施の形態に対して異なる点を中心に説明し、共通する部分については詳細な説明を省略する。
【００４１】
図７乃至１０に示す第２の実施の形態が、第１の実施の形態と実質的に異なる点は、本体１に対するグリップ部１０２の取り付けの態様である。より具体的には、グリップ部１０２の底部に一端を固定された連結部材１０３は、ねじ１０６を介して、その他端をカメラ本体１の底部略中央に回転自在に取り付けている。従って、連結部材１０３を本体１に対して回転させることにより、グリップ部１０２を、本体１に対して、カメラの正面から見て左側（図７，８の実線で示す位置）と、本体１に対して、カメラの正面から見て右側（図７，８の点線で示す位置）との間で変位させることができるようになっている。なお、第１の実施の形態と同様に、グリップ部１０２が、左側又は右側にあるときには、不図示のクリックが係合することにより、連結部材１０３とカメラ本体１との不用意な相対回転を防止するようになっている。
【００４２】
撮影者は、三脚等を用いることなく自身を撮影するときに、左手でグリップ部１０２を把持しようとする場合には、かかるグリップ部１０２を、図７，８の実線で示す位置（第１位置）に変位させれば良く、一方右手で把持しようとする場合には、グリップ部１０２を図７，８の点線で示す位置（第２位置）に変位させればよい。それにより、撮影の姿勢にかかわらず、グリップ部１０２をしっかり保持することができ、撮影時の手振れ等を防止することができる。
【００４３】
更に、グリップ部２が、いずれの位置にあるときでもシャッタレリーズを可能とする構成について、図９，１０を参照して説明する。図において、本体１の底部に設けられたリング状の空洞１ｅの上壁には、接片１０４ａ、１０４ｂがそれぞれ一端を固定されている。導電体である接片１０４ａ、１０４ｂは、制御回路６に接続されている。一方、連結部材１０３の上面には、それと一体的に回転するパターン基板１０５が設けられており、パターン基板１０５上には導電部１０５ａ、１０５ｂが配置されている。
【００４４】
導電部１０５ａ、１０５ｂは、シャッタレリーズボタン２ａ（図１乃至３）の押圧によって閉成するレリーズスイッチ７に接続されている。接片１０４ａ、１０４ｂは、グリップ部１０２が図７，８の実線又は点線で示す位置にある時に、導電部１０５ａ、１０５ｂに当接するようになっている。
【００４５】
従って、グリップ部１０２が図７，８の実線又は点線で示す位置にある時に、レリーズスイッチ７が閉成されると、制御回路６は、導通した接片１０４ａ、１０４４ｂを介して、シャッタレリーズが行われたと判断することができる。
【００４６】
図１１乃至１２は、本発明による第３の実施の形態にかかるカメラを示す図であるが、図１１はその斜視図であり、図１２は、シャッタレリーズを可能とする構成を示す図である。尚、第３の実施の形態については、上述した実施の形態に対して異なる点を中心に説明し、共通する部分については詳細な説明を省略する。
【００４７】
図１１乃至１２に示す第３の実施の形態が、第１、２の実施の形態と実質的に異なる点は、グリップ部を本体に対して固定した代わりに、シャッタレリーズを本体の左右に設けた点である。より具体的には、図１１に示す本体２０１の上部において、カメラの正面から見てその左端近傍に、第１シャッタレリーズボタン２０１ａを配置し、カメラの正面から見てその右端近傍に、第２シャッタレリーズボタン２０１ｂを配置している。
【００４８】
更に、モードを切り替える機能を有するモード切替スイッチ２０２が、両シャッタレリーズボタン２０１ａ、２０１ｂ間に配置されている。モード切替スイッチ２０２が図中左方に移動したときに、通常撮影モードが設定され、図中右方に移動したときに、セルフポートレートモードが設定されるものとする。図１１中カメラを把持している手Ｈは２本であるが、いずれの手も撮影者の右手であって、図中左方の手Ｈは、通常撮影モードで撮影を行う際にカメラを把持する位置にあり、図中右方の手Ｈは、セルフポートレートモードで撮影を行う際にカメラを把持する位置にある。
【００４９】
いずれのシャッタレリーズボタンを用いても、シャッタレリーズを可能とする構成について説明する。図１２において、本体内には、固定された導電体であるパターン基板２０４ａ、２０４ｂ、２０４ｃが配置されている。パターン基板２０４ａ及び２０４ｃは同一長さの矩形形状であるが、パターン基板２０４ｂは短い矩形状となっている。
【００５０】
パターン基板２０４ａは、第１シャッタレリーズボタン２０１ａの押圧によって閉成するレリーズスイッチ２０７ａを介して制御回路６に接続され、パターン基板２０４ｂは、第２シャッタレリーズボタン２０１ｂの押圧によって閉成するレリーズスイッチ２０７ｂを介して制御回路６に接続されている。パターン基板２０４ｃは、制御回路６に直接接続されている。
【００５１】
三つ又状の接片２０５は、モード切替スイッチ２０２に連結され、それに応動してパターン基板２０４ａ、２０４ｂ、２０４ｃ上を摺動するように配置されている。図１１に示すように、モード切替スイッチ２０２が図中左方（通常撮影モード設定時）にあるときには、接片２０５を介して、パターン基板２０４ａ、２０４ｃが導通するようになっている。一方、モード切替スイッチ２０２が図中右方に移動したとき（セルフポートレートモード設定時）には、接片２０５を介して、パターン基板２０４ａ、２０４ｂ、２０４ｃ全てが導通するようになっている。
【００５２】
図１１に示すように、モード切替スイッチ２０２が図中左方にあるとき（通常撮影モード設定時）には、パターン基板２０４ａ、２０４ｃのみが導通するようになっているので、第１レリーズスイッチ２０７ａのみがシャッタレリーズに関与することとなる。すなわち、第１シャッタレリーズボタン２０１ａを押圧することにより、第１レリーズスイッチ２０７ａが閉成すると、制御回路６は、導通したパターン基板２０４ａ、２０４ｃを介して、シャッタレリーズが行われたと判断することができる。
【００５３】
このとき、パターン基板２０４ａ、２０４ｂが非導通状態に維持されるので、第２レリーズスイッチ２０７ｂの動作はシャッタレリーズに関与しないようになっている。従って、撮影者が誤って第２シャッタレリーズボタン２０１ａを押圧した場合でも、制御回路６は、シャッタレリーズが行われたとは認識しないこととなり、それによりカメラの誤動作を防止できることとなる。
【００５４】
一方、モード切替スイッチ２０２が図中右方に移動させられたとき（セルフポートレートモード設定時）には、パターン基板２０４ａ、２０４ｂ、２０４ｃ全てが導通するようになっているので、両レリーズスイッチ２０７ａ、２０７ｂがシャッタレリーズに関与することとなる。すなわち、第１シャッタレリーズボタン２０１ａ又は第２レリーズシャッタボタン２０１ｂを押圧することにより、第１レリーズスイッチ２０７ａ又は第２レリーズスイッチ２０７ｂが閉成状態となり、それにより制御回路６は、導通したパターン基板を介して、シャッタレリーズが行われたと判断することができる。尚、セルフポートレートモード設定時には、絞りは小絞り状態に維持され、被写界深度を深くすることにより被写体のピンぼけを極力防止するようになっている。
【００５５】
このように、セルフポートレートモード設定時に、いずれのシャッタレリーズボタン２０１ａ、２０１ｂを押圧しても、シャッタレリーズができるようにしたのは、撮影者がいずれの手でカメラを把持しても、撮影者自身を撮影できるようにしているためである。尚、セルフポートレートモード設定時に、撮影者が右手でのみカメラを保持するような場合には、第１シャッタレリーズボタン２０１ａを押圧しても、シャッタレリーズが行えないような構成とすることも可能である。
【００５６】
又、撮影のため第２シャッタレリーズボタン２０１ｂを押すときは、セルフポートレートモード下での撮影がほとんどと考えられるので、第２シャッタレリーズボタン２０１ｂの所定操作に応動して（たとえば半押しすることに応動して、又は半押しを所定時間（たとえば３秒）以上持続させることにより応動して、あるいは半押しを複数回繰り返すことに応動して）、セルフポートレートモードを自動的に設定できるように構成しても良い。また、第２シャッタレリーズボタン２０１ｂを通常は蓋で覆うようにして、かかる蓋を開放したときに、セルフポートレートモードが設定されるようにすることも考えられる。
【００５７】
更に、回転するグリップ部１０２がいずれの位置にあるときでもシャッタレリーズを可能とするために、レリーズスイッチと制御回路とを、フレキシブルプリント基板やリード線を介して連結することも考えられる。ただし、かかる場合には、グリップ部１０２がいずれの位置にあるかを検出する位置検出スイッチを設ける必要がある。また、本実施の形態においても、測距部の測距精度を向上させるべく、図２９又は３０を参照して既に説明したような構成を付加することも考えられる。
【００５８】
図１３乃至１６は、本発明による第４の実施の形態にかかるカメラを示す図であるが、図１３はその斜視図であり、図１４は、かかるカメラの制御構成を示すブロック図であり、図１５は、シャッタレリーズを可能とする構成を示す図であり、図１６は、モード切替を可能とする構成を示す図である。図１３において、撮影者の右手Ｈによりカメラの本体３０１は把持され、その人差し指がシャッタレリーズ兼モード切替機構３０２（図１４）のダイヤル３２１に載せられている。尚、カメラの本体３０１の上面中央には、表示装置３０３が配置されている。又、撮影のため第２シャッタレリーズボタン２０１ｂを押すときは、セルフポートレートモード下での撮影がほとんどと考えられるので、第２シャッタレリーズボタン２０１ｂを半押しすることに応動して、セルフポートレートモードを自動的に設定できるように構成しても良い。
【００５９】
図１４において、制御回路６は、シャッタレリーズ兼モード切替機構３０２に設けられたシャッタレリーズ装置３１０と、モード切替装置３２０に接続され、それぞれから動作信号を受けるようになっている。更に制御回路６は、液晶を有する表示装置３０３に接続され、これに所定の表示を行わせるようになっている。
【００６０】
次に、図１５を参照して、シャッタレリーズ装置３１０の構成について説明する。尚、図１５において、カメラの本体３０１の上面を一点鎖線Ａで示しており、一点鎖線Ａの下方は、本体３０１内部に設けられているものとする。シャッタレリーズ装置３１０は、柱部３１１，３１２と、支持部材３１３と、ばね部材３１４，３１５と、シャッタレリーズスイッチ３１６とからなる。これらの構成をより具体的に説明すると、カメラの本体３０１の内部に植設された２本の柱部３１１，３１２が、垂直方向に延在している。柱部３１１，３１２の内方には、垂直方向に延在するガイド溝３１１ａ、３１２ａが形成されている。
【００６１】
ガイド溝３１１ａ、３１２ａ内には、正面から見て逆Ｔ字状の支持部材３１３が設けられ、かかるガイド溝３１１ａ、３１２ａに沿って上下に移動自在となっている。支持部材３１３の下面には、下方に突出する凸片３１３ａが設けられている。一方、柱部３１１，３１２の間であって、凸片３１３ａに対向するようにして、シャッタレリーズスイッチ３１６が設けられている。
【００６２】
シャッタレリーズスイッチ３１６は、中央にスイッチ片３１６ａを有している。図示していないが、スイッチ片３１６ａは、下方に押圧されることにより不図示のスイッチを閉成し、それにより制御回路６（図１４）はレリーズがなされたと判断するようになっている。シャッタレリーズ装置３１０の両側には、ばね部材３１４，３１５が設けられ、支持部材３１３を上方に付勢している。
【００６３】
支持部材３１３の上部には、ダイヤル３２１を備えたモード切替装置３２０が配置されている。次に、図１６を参照して、モード切替装置３２０について説明する。モード切替スイッチ３２０は、支持部材３１３と、ダイヤル３２１と、エンコーダ３２２とからなる。尚、図１６においては、エンコーダを覆うカバー３１７（図１５）は外されて示されている。
【００６４】
図１６において、支持部材３１３は、その上端においてダイヤル３２１を回転自在に支持している。ダイヤル３２１は、正面に導電体からなるパターン基板３２２ａを取り付けている。パターン基板３２２ａ上には、４本の接片３２２ｂ、３２２ｃ、３２２ｄ、３２２ｅの各一端が当接しており、その他端は、支持部材３２２ｆを介して支持体３１３に取り付けられている。尚、接片３２２ｂ、３２２ｃ、３２２ｄ、３２２ｅは、コード群３２２ｇを介して、それぞれ制御回路６（図１４）に接続されている。パターン基板３２２ａと、接片３２２ｂ、３２２ｃ、３２２ｄ、３２２ｅと、支持部材３２２ｆとで、エンコーダ３２２を形成している。
【００６５】
パターン基板３２２ａは、一定角度毎にその導電部の位置を変えて形成されており従って、ダイヤル３２１の回転と共に、パターン基板３２２ａ上を摺動する接片３２２ｂ、３２２ｃ、３２２ｄ、３２２ｅは、一定角度毎に導通する接片が変わるようになっている。
【００６６】
次に、本実施の形態の動作につき説明する。まず、図１３のようにカメラを把持した撮影者は、複数の撮影モードのうち、遠くの被写体を撮影するのに適した遠景撮影モードを選択することとする。かかる場合、撮影者は、図１３の点線の矢印で示す方向にダイヤル３２１を人差し指で左方又は右方に回転させ、遠景撮影モードを探す。
【００６７】
このとき、パターン基板３２２ａ上を接片３２２ｂ、３２２ｃ、３２２ｄ、３２２ｅが摺動し、その導電部に当接した接片３２２ｂ、３２２ｃ、３２２ｄ、３２２ｅのいずれかが導通することに基づいて、制御回路６は撮影モードを切り替える。より具体的には、たとえば遠景撮影モードが設定された場合には、制御回路６は、不図示のレンズ駆動装置により撮影レンズを、無限遠の被写体にピントが合う位置に駆動し、同時に表示装置３０３を介して、遠景撮影モードに切り替えたことを表示するようになっている。従って撮影者は、表示装置３０３を見ることにより、所望する遠景撮影モードが設定されたことがわかる。
【００６８】
次に撮影者が、ダイヤル３２１を下方に押圧すると、支持部材３１３が案内溝３１１ａ、３１２ａに沿って移動し、凸片３１３ａが、シャッタレリーズスイッチ３１６のスイッチ片３１６ａを押す。シャッタレリーズスイッチ３１６が閉成することにより、制御回路６は、シャッタレリーズを行わなくてはならないと判断し、不図示のシャッタ駆動回路を駆動してシャッタ動作を行わせるようになっている。シャッタレリーズ終了後には、支持体３１３は、ばね部材３１４，３１５の付勢力により、元の位置まで上昇する。
【００６９】
このように、本実施の形態によれば、両手もしくは片手の複数の指を用いることなく、人指し指のみを用いてシャッタレリーズ及び撮影モードの切り替えが可能となり、操作性が向上する。又、撮影モードを切り替えるときに、人指し指をダイヤルから離す必要が無く、カメラの構えを解除する必要が無くなって、迅速な撮影が可能となる。更に、撮影モードの切替部材を別個に設ける必要はないので、コンパクトなカメラの表面を有効に利用でき、たとえば必要に応じてダイヤルを大きくすることができるので、その操作性はより向上することとなる。
【００７０】
ところで、上述した第４の実施の形態においては、ダイヤル３２１は、支持部材３１３に対して回転自在となっている。従って、撮影者がシャッタレリーズを行うつもりで、その人指し指に垂直方向下方に力を加えようとしたとき、誤ってダイヤル３２１を回転させ、その結果意図しない撮影モードが選択されてしまう恐れがある。かかる場合、ダイヤル３２１の回転にある程度の抵抗を与え、撮影モードの不用意な切り替えを防止する構成があれば便利である。このような構成を、図１７，１８を用いて説明する。
【００７１】
図１７、１８は、第４の実施の形態にかかるクリック機構３４０を示す図であり、図１７はその正面図であり、図１８はその側面図である。図において、ダイヤル３２１は、回転軸３４１により支持体３１３に対して回転自在に支持されている。ダイヤル３２１に隣接して、外周が波形形状の回転板３４２が回転軸３４１に取り付けられ、ダイヤル３２１と一体的に回転するようになっている。尚、回転板３４２の係止位置とダイヤル３２１のモード設定位置とは、予め対応するように決められている。
【００７２】
回転板３４２の下方において、支持体３１３には垂直方向に延在する袋孔３４３が形成されている。袋孔３４３内には、ばね部材３４４と、上端を袋孔３４３から露出したボール３４５が設けられている。ボール３４５は、ばね部材３４４の上端と回転板３４２との間に配置されており、ばね部材３４４の付勢力により、回転板３４２の歯（山部）間に押しつけられている。
【００７３】
撮影モードを切り替えるため、撮影者がダイヤル３２１を回転させると、回転板３４２も回転する、このとき、ボール３４５は支持体３１３の袋孔３４３にとどまっているため、回転板３４２に対して相対的に移動する。より具体的には、ボール３４５は、ばね部材３４４の付勢力に抗しながら回転板３４２の歯を乗り越え、隣接する歯間に移動しようとし、このとき回転板３４２にばね部材３４４の付勢力に基づく抵抗力が生じる。
【００７４】
従って、ダイヤル３２１を回転させる時には、かかる抵抗力が生じることとなり、撮影者がシャッタレリーズを行う際に、無意識にダイヤル３２１の回転方向に力を付与してしまうような場合でも、撮影者の意図しない撮影モードの切り替えを極力防止して、操作性を向上させることができる。また、ボール３４５が回転板３４２の歯を乗り越え、隣接する歯間に移動したときは、ばね部材３４４の付勢力により、ボール３４５は、勢い良く回転板３４２の歯面に衝接し、その際に衝接音と軽い振動とが生じるようになっている。従って撮影者は、ダイヤル３２１の操作感（手応え、振動）と衝接音とにより、撮影モードの切り替えが行われたことを認識できるようになっている。
【００７５】
図１９，２０は、クリック機構の変形例（クリック機構３４０’）を示す図であり、図１９はその正面図であり、図２０はその側面図である。図において、ダイヤル３２１は、その正面に円周方向に沿って複数の凹部３２１ａを形成している。一方、支持体３１３に一端を取り付けた、ばね鋼からなる押さえ板３４６は、その他端を凹部３２１ａの一つに係合させている。
【００７６】
撮影モードを切り替えるため、撮影者がダイヤル３２１を回転させると、凹部３２１ａも回転する、このとき、押さえ板３４６は、自身を弾性変形させながら凹部３２１ａから離脱して、隣接する凹部３２１ａに移動しようとし、このときダイヤル３２１に押さえ板３４６の弾性力に基づく抵抗力が生じる。
【００７７】
従って、撮影者がシャッタレリーズを行う際に、無意識にダイヤル３２１の回転方向に力を付与してしまうような場合でも、撮影者の意図しない撮影モードの切り替えを極力防止して、操作性を向上させることができる。また、押さえ板３４６が凹部３２１ａから離脱して、隣接する凹部３２１ａに移動したときは、勢い良く凹部３２１ａの表面に衝接し、その際に衝接音と軽い振動とが生じるようになっている。従って撮影者は、ダイヤル３２１の操作感（手応え、振動）と衝接音とにより、撮影モードの切り替えが行われたことを認識できるようになっている。
【００７８】
図２１，２２は、第５の実施の形態にかかるモード切替装置４２０を示す図であり、図２１はその正面図であり、図２２はその側面図である。図において、ダイヤル４２１には、その正面において、円周方向に連続する複数の山部４２１ａが形成されている。一方、支持部材４１３には、山部４２１ａに対向するようにして、検出装置４２２が配置されている。検出装置４２２は、制御回路６に接続されている。
【００７９】
図２２に示されているように、検出装置４２２は、上方ピン４２２ａと下方ピン４２２ｂとを備えている。上方ピン４２２ａと下方ピン４２２ｂとは、図１５のスイッチ片３１６ａと同様な構成を有しており、すなわちピンに沿って押されると、不図示のスイッチが各々閉成するようになっている。
【００８０】
図２０，２１の構成によれば、撮影者が、ダイヤル４２１を図２１の時計回り方向に回転させると、まず上方ピン４２２ａが押圧され、続いて下方ピン４２２ｂが押圧される。それにより、制御回路６は、ダイヤル４２１が時計回りに回転したことを認識する。一方、撮影者が、ダイヤル４２１を図２１の半時計回り方向に回転させると、まず下方ピン４２２ｂが押圧され、続いて上方ピン４２２ａが押圧される。それにより、制御回路６は、ダイヤル４２１が半時計回りに回転したことを認識する。
【００８１】
引き続いてダイヤル４２１が回転すると、上方ピン４２２ａと下方ピン４２２ｂとが、その回転角度に対応する数の山部４２１ａを乗り越え、その度に閉成と開成とを繰り返すこととなる。制御回路６は、上方ピン４２２ａと下方ピン４２２ｂによる閉成と開成の繰り返し回数をカウントし、既に認識したダイヤル４２１の回転方向と、カウントされたかかる回数とに基づいて、撮影者が所望する撮影モードを設定できるようになっている。
【００８２】
尚、本実施の形態によれば、検出装置４２２のピン４２２ａ、４２２ｂと、ダイヤル４２１の山部４２１ａが、クリック機構（図１７乃至図２０）としても成立する。より具体的には、撮影モードを切り替えるため、撮影者がダイヤル４２１を回転させると、山部４２１ａも回転する、このとき、検出装置４２２のピン４２２ａ、４２２ｂは、山部４２１ａに当接して、ピンを押し戻そうとするばね（不図示）の付勢力に抗しながら山部４２１ａを乗り越え、隣接する山部間に移動しようとし、このときダイヤル４２１に抵抗力が生じる。
【００８３】
従って、撮影者がシャッタレリーズを行う際に、無意識にダイヤル４２１の回転方向に力を付与してしまうような場合でも、撮影者の意図しない撮影モードの切り替えを極力防止して、操作性を向上させることができる。
【００８４】
図２３，２４は、第６の実施の形態にかかるモード切替装置５２０を示す図であり、図２３はその正面図であり、図２４はその側面図である。図において、ダイヤル５２１は、回転軸５４１により支持体５１３に対して回転自在に支持されている。ダイヤル５２１に隣接して、円周方向に多数の歯を形成したトゥースプレート５４２が回転軸５４１に取り付けられ、ダイヤル５２１と一体的に回転するようになっている。
【００８５】
一方、支持体５１３の上端には、制御回路６に接続されたフォトセンサ５２２が設けられている。フォトセンサ５２２は、側面から見てコ字状となっており、その内側において、検出光を発する発光部５２２ａと、検出光を受光する受光部５２２ｂとを有している。フォトセンサ５２２は、発光部５２２ａと受光部５２２ｂとの間に、トゥースプレート５４２を介在させるようにして、支持体５１３に取り付けられている。
【００８６】
図２３，２４の構成によれば、撮影者が、ダイヤル５２１を回転させると、支持体５１３に固定されたフォトセンサ５２２の発光部５２２ａと受光部５２２ｂとの間を、トゥースプレート５４２の歯が横切るため、その間発光部５２２ａからの検出光が受光部５２２ｂに到達しない状態となる。一方、トゥースプレート５４２の歯が通過した後は、発光部５２２ａからの検出光は受光部５２２ｂに届くようになっている。
【００８７】
受光部５２２ｂは、検出光を光電変換して、制御回路６に送信するようになっているので、トゥースプレート５４２の回転に応じた矩形状の信号波が制御回路６に送られることとなる。従って制御回路６は、矩形状の信号波の立ち上がりもしくは立ち下がりの数をカウントすることにより、トゥースプレート５４２すなわちダイヤル５２１の回転量を知ることができ、かかる回転量に基づき、撮影者が所望する撮影モードを設定できるようになっている。
【００８８】
尚、図２３，２４の構成では、トゥースプレート５４２の回転方向については、制御回路６は判断できないため、ダイヤル５２１は一方向にのみ回転するようにする必要がある。このような構成は、回転軸５４１と支持体５１３との間に、ワンウエイクラッチを挿入することにより達成することができる。又は、第５の実施の形態と同様に、フォトセンサを複数設けることで、トゥースプレート５４２を両方向に回転させた場合における、その回転方向を知ることもできる。
【００８９】
更に、より確実な操作を望む場合には、以下のような補助的な態様を選択することもできる。たとえば、シャッタレリーズ時に、誤って撮影モードが切り替わらないようにするため、シャッタレリーズが半押し状態となったことに応動して、制御回路６に、撮影モードの切り替えを禁止させるようにしても良い。あるいは、ダイヤルがあるストロークだけ押し込まれたとき、その回転をロックする機構を設けるようにすることもできる。
【００９０】
一方、撮影モード切替時に、誤ってシャッタレリーズを行わないようにするには、制御回路６に、撮影モード切替後、たとえば１秒等一定時間内はレリーズを禁止させるようにしても良い。更に、ダイヤルの押圧方向を垂直方向と異なる方向にすることも考えられる。
【００９１】
図２５は、ダイヤルの押圧方向を垂直方向と異なる方向にする構成を示す図である。図２５において、ダイヤル３２１を回転自在に支持する支持部材３１３’は、図中右上に向かって延在する柱部３１１’、３１２’により、摺動自在に支持されている。その他の構成については、図１５に示す構成と同一である。
【００９２】
図２５の構成によれば、ダイヤル３２１は、垂直方向と異なる、柱部３１１’、３１２’に沿う方向（図中矢印に示す方向）押圧されることにより、シャッタレリーズが可能となっているので、撮影モード切替時に、誤ってシャッタレリーズを行わないようにすることができる。
【００９３】
図２６は、図１３に示すカメラを背面から見た斜視図である。上述したように、カメラの本体３０１の上面中央には、表示装置３０３が設けられている。本体３０１の背面上端近傍には、表示装置３０３に隣接してファインダ３０１ｂが配置されている。尚、図２６において、表示装置３０３は、遠景撮影モードを示す「山並み」の記号を、液晶により表示している。
【００９４】
図２６に示す構成によれば、表示装置３０３が、ファインダ３０１ｂに近接して配置されているので、撮影者は、ダイヤル３２１を用いて撮影モードの切り替えを行ったとき、ファインダ３０１ｂから少し視線をずらすのみで、表示装置に表示された、切り替え後の撮影モードを確認できる。従って撮影者は、ダイヤル３２１に指をおいた状態（カメラを構えた状態）を崩すことなく、切り替え後の撮影モードで撮影でき、それによりカメラの操作性が向上することとなる。
【００９５】
更に図２６の構成によれば、ダイヤル３２１の回転位置と、撮影モードとを一義的に対応させる必要がない。より具体的には、カメラのメインスイッチ（不図示）がオンとなった時に常に所定の撮影モードとなるように、制御回路６の制御を設定しておけば、ダイヤル３２１の初期位置に関わらず、所定の撮影モードから撮影を開始することが可能となる。たとえば、使用頻度の少ない撮影モードを設定したまま、カメラのメインスイッチをオフにしたとしても、次のメインスイッチオン時には、通常の撮影モードに戻すようにすることができるのである。
【００９６】
図２７は、表示装置の変形例（表示装置６０３）を示す図であり、図２６と同様な、カメラの背面図である。図２７においては、表示装置６０３は、ダイヤル３２１の裏面にプリントされたモードの記号６０３ａと、本体３０１の上面に設けられた指標６０３ｂとからなる。
【００９７】
図２７の構成は、設定された撮影モード以外の記号は、本体３０１に隠れて見えないようになっているため、撮影者は、ダイヤル３２１を用いて撮影モードの切り替えを行ったとき、ファインダ３０１ｂから少し視線をずらすのみで、記号６０３ａを確認できる。従って撮影者は、ダイヤル３２１に指をおいた状態（カメラを構えた状態）を崩すことなく、切り替え後の撮影モードで撮影でき、それによりカメラの操作性が向上することとなる。また、図２７の構成は、液晶等を用いていないため、構成を簡素化でき、また安価に製造できると共にカメラの小型化にも有効となる。
【００９８】
図２８は、表示装置の別の変形例（表示装置７０３）を示す図である。図２８において、表示装置７０３は、ファインダ３０１ｂ内右側に配置された液晶７０３ａを有しており、また図２６の構成と同様に、制御回路６（図１４）に接続されている。
【００９９】
図２８に示す構成によれば、表示装置７０３が、ファインダ３０１ｂ内に配置されているので、撮影者は、ダイヤル３２１を用いて撮影モードの切り替えを行ったとき、ファインダ３０１ｂに接眼したまま、液晶７０３ａに表示された、切り替え後の撮影モードを確認できる。従って撮影者は、ダイヤル３２１に指をおいた状態（カメラを構えた状態）を崩すことなく、切り替え後の撮影モードで撮影でき、それによりカメラの操作性が向上することとなる。
【０１００】
以上、本発明を実施の形態を参照して説明してきたが、本発明は上記実施の形態に限定して解釈されるべきではなく、適宜変更・改良が可能であることはもちろんである。たとえば、図１３乃至図２８の実施の形態で用いたダイヤル式のモード切替部材の代わりに、シーソー式のモード切替部材を設け、その一方を倒すと撮影モードの切り替えが順方向になされ、他方を倒すと撮影モードの切り替えが逆方向になされるようにしても良い。又、モード切替に限らず、焦点距離切り替え（ズームボタン）等にも応用できる。
【０１０１】
【発明の効果】
本発明のカメラによれば、カメラを把持した撮影者自身を撮影するのに適するように２つのシャッタレリーズボタンを備えているので、三脚や遠隔操作式のレリーズ機構等を用いることなく撮影者自身を簡便に撮影することができる。
【０１０２】
更に上記実施の形態に記載のカメラにおいて、第１位置と、該第１位置よりも撮影レンズに対して離れた第２位置との間を移動可能なシャッタレリーズボタンを有するグリップ部材を備え、該グリップ部材が該第２位置にあるときに、前記撮影モードが設定されるようになっているので、前記グリップ部材を片手で把持しつつカメラを自身に向けて、前記シャッタレリーズボタンを押せば、撮影者の腕が写り込むことを極力防止できるようになっている。
【０１０３】
又、上記実施の形態に記載のカメラにおいて、カメラの正面から見て、撮影レンズの左側の所定位置にシャッタレリーズボタンが位置する第１状態と、撮影レンズの右側の所定位置にシャッタレリーズボタンが位置する第２状態とを切り替え可能であり、前記シャッタレリーズボタンが第２状態に切り替わったときに、前記撮影モードが設定されるようになっているので、たとえば利き腕が右手である撮影者がファインダを覗きつつ撮影を行う場合には、カメラを第１状態に設定すれば、カメラを把持する右手の指で前記シャッタレリーズボタンを押すことができ、一方その撮影者が自身を撮影する場合には、カメラを第２状態に設定すれば、同様にカメラを把持する右手の指で前記シャッタレリーズボタンを押すことができ、それにより撮影に関わらずカメラの操作性を確保することができる。
【０１０４】
更に実施の形態に記載のカメラによれば、撮影レンズの焦点距離を変更可能となっているカメラであって、前記カメラを把持した撮影者自身を撮影するのに適した撮影条件を設定する撮影モードを備え、前記撮影モードの設定に応じて、前記撮影レンズの焦点距離を、広角側に対応する距離に設定するため、たとえば撮影者が片手でカメラを把持して自身を撮影する場合に、撮影画枠からの自身のはみ出しや欠けなどを防止することができる。また、前記撮影モードの設定に応じて、撮影距離をたとえば人間の腕の長さ程度に近距離に設定するので、カメラを把持した撮影者が腕を伸ばして自身を撮影する場合に、撮影者が合焦のための測距対象となっていなくても、撮影者自身にピントが合うようにすることができる。さらに、前記撮影モードの設定に応じて、シャッタのレリーズによりストロボ発光を強制的に行うようになっているので被写界輝度を高めることができ、それによりシャッタ速度を増大させてカメラのブレ防止を図ることができ、あるいは被写界深度を深くしてピンぼけの防止を図ることができる。
【０１０５】
本実施の形態に記載のカメラによれば、カメラの状態を切り替える、第１の方向及び第２の方向に移動可能な撮影条件設定部材を、前記第１及び第２の方向と異なる方向に移動させることによりシャッタレリーズが行われるようになっているので、撮影者が単一の撮影条件設定部材を、方向を異ならせて操作することにより、カメラの状態の切り替えとシャッタレリーズとを行うことができ、それによりカメラの操作性を向上させることができる。
【０１０６】
本実施の形態に記載のカメラによれば、カメラの状態を切り替える、回転軸周りに回転移動可能な撮影条件設定部材を、前記撮影条件設定部材に回転力を伝達する方向と異なる方向に移動させることによりシャッタレリーズが行われるようになっているので、撮影者が単一の撮影条件設定部材を、回転させることと、回転力を伝達する方向と異なる方向に移動させることで、カメラの状態の切り替えとシャッタレリーズとを行うことができ、それによりカメラの操作性を向上させることができる。
【図面の簡単な説明】
【図１】第１の実施の形態にかかるカメラの斜視図である。
【図２】カメラの上面図であり、図２（ａ）は、グリップ部２が本体１に対して近接した近接位置（第１位置）にある状態を示し、図２（ｂ）は、グリップ部２が本体１に対して離隔した離隔位置（第２位置）にある状態を示している。
【図３】離隔位置にあるグリップ２を、撮影者の左手Ｈにより把持した状態で示すカメラの斜視図である。
【図４】本体１とグリップ部２との間に配置された、電気接点を、制御回路のブロック図と共に示す上面図である。
【図５】図４の構成をＶ−Ｖ線で切断して矢印方向に見た図である。
【図６】本実施の形態にかかるカメラの制御を示すフローチャートである。
【図７】本発明による第２の実施の形態にかかるカメラを示す図であり、その斜視図である。
【図８】本発明による第２の実施の形態にかかるカメラを示す図であり、その底面図である。
【図９】本発明による第２の実施の形態にかかるカメラを示す図であり、シャッタレリーズを可能とする構成を示す図である。
【図１０】本発明による第２の実施の形態にかかるカメラを示す図であり、図９の構成をＸ−Ｘ線で切断して矢印方向に見た図である。
【図１１】本発明による第３の実施の形態にかかるカメラを示す斜視図である。
【図１２】本発明による第３の実施の形態にかかるカメラを示す図であり、シャッタレリーズを可能とする構成を示す図である。
【図１３】  本発明による第４の実施の形態にかかるカメラを示す斜視図である。
【図１４】本発明による第４の実施の形態にかかるカメラを示す図であり、かかるカメラの制御構成を示すブロック図である。
【図１５】本発明による第４の実施の形態にかかるカメラを示す図であり、シャッタレリーズを可能とする構成を示す図である。
【図１６】本発明による第４の実施の形態にかかるカメラを示す図であり、モード切替を可能とする構成を示す図である。
【図１７】第４の実施の形態にかかるクリック機構３４０の正面図である。
【図１８】第４の実施の形態にかかるクリック機構３４０の側面図である。
【図１９】クリック機構の変形例（クリック機構３４０’）の正面図である。
【図２０】クリック機構の変形例（クリック機構３４０’）の側面図である。
【図２１】第５の実施の形態にかかるモード切替装置４２０の正面図である。
【図２２】第５の実施の形態にかかるモード切替装置４２０の側面図である。
【図２３】第６の実施の形態にかかるモード切替装置５２０を示す正面図である。
【図２４】第６の実施の形態にかかるモード切替装置５２０を示す側面図である。
【図２５】ダイヤルの押圧方向を垂直方向と異なる方向にする構成を示す図である。
【図２６】図１３に示すカメラを背面から見た斜視図である。
【図２７】表示装置の変形例（表示装置６０３）を示す図であり、図２６と同様な、カメラの背面図である。
【図２８】表示装置の別の変形例（表示装置７０３）を示す図である。
【図２９】本発明の一態様にかかるカメラの正面図である。
【図３０】別な態様にかかるカメラを示す図であり、図３０（ａ）は、かかるカメラの正面図であり、図３０（ｂ）は、図３０（ａ）のカメラをＢ−Ｂ線で切断して矢印方向に見た図である。
【符号の説明】
１、２０１，３０１、８０１、９０１    本体
２、１０２    グリップ部
３    連結部材
６    制御回路
８    レンズ駆動装置
９    絞り機構
１０    ストロボ装置
１１    測光装置
１２    測距装置
１３    フィルム給送装置
１４    シャッタ
３０３、６０３，７０３    表示装置
３１０    シャッタレリーズ装置
３２０、４２０、５２０    モード切替装置
３４０、３４０’    クリック機構
３２１    ダイヤル
８１０    凸面鏡
９１０    ＬＥＤ
【図１】
0003726491.tif 000002
【図２】
0003726491.tif 000003
【図３】
0003726491.tif 000004
【図４】
0003726491.tif 000005
【図５】
0003726491.tif 000006
【図６】
0003726491.tif 000007
【図７】
0003726491.tif 000008
【図８】
0003726491.tif 000009
【図９】
0003726491.tif 000010
【図１０】
0003726491.tif 000011
【図１１】
0003726491.tif 000012
【図１２】
0003726491.tif 000013
【図１３】
0003726491.tif 000014
【図１４】
0003726491.tif 000015
【図１５】
0003726491.tif 000016
【図１６】
0003726491.tif 000017
【図１７】
0003726491.tif 000018
【図１８】
0003726491.tif 000019
【図１９】
0003726491.tif 000020
【図２０】
0003726491.tif 000021
【図２１】
0003726491.tif 000022
【図２２】
0003726491.tif 000023
【図２３】
0003726491.tif 000024
【図２４】
0003726491.tif 000025
【図２５】
0003726491.tif 000026
【図２６】
0003726491.tif 000027
【図２７】
0003726491.tif 000028
【図２８】
0003726491.tif 000029
【図２９】
0003726491.tif 000030
【図３０】
0003726491.tif 000031